(57)【特許請求の範囲】
【請求項１】
固定型としての下型と、可動型としての上型と、成形素材としてのパネル部材を下型のプレス面の最上部より若干高い待機位置に保持しておくパネル保持手段を備えたプレス装置において、前記パネル保持手段は、前記パネル部材の周縁部下面の所定部を支持し且つ水平な枢支軸により支柱枠に枢支されて先端側が上下に揺動可能な複数の支持部材と、この支持部材の基端側に取付けられ且つ該支持部材に対して前記枢支軸を中心に所定の揺動側に定トルクを与える重りと、前記支柱枠の前面に形成した切欠き溝と、この切欠き溝の上端に設けられ、前記支持部材の位置を規制して所定の支持姿勢に維持する規制手段と、前記支柱枠の前面側上部を後方に傾斜して形成したガイド部を備え、前記枢支軸が前記支柱枠の前面に形成した切欠き溝より上方に位置し、支持部材上のパネル部材に対して上方から圧力がかかると支持部材の先端側が下方に揺動し、パネル部材が支持部材から外れると、重りによって支持部材が元の支持姿勢に復帰するようにされたことを特徴とするプレス装置。
【請求項２】
請求項１に記載のプレス装置において、前記重りは、前記支持部材に対して水平な枢着軸により回動自在に枢着されることを特徴とするプレス装置。
【請求項３】
請求項２に記載のプレス装置において、前記重りは、縦長の長手形状とされ、長手の一方側端部が前記枢着軸の枢着部とされることを特徴とするプレス装置。
【請求項４】
請求項１に記載のプレス装置において、前記重りは、前記支持部材の端部に固着されることを特徴とするプレス装置。
【請求項５】
固定型としての下型と、可動型としての上型と、成形素材としてのパネル部材を下型のプレス面の最上部より若干高い待機位置に保持しておくパネル保持手段を備えたプレス装置において、前記パネル保持手段は、前記パネル部材の周縁部下面の所定部を支持し且つ水平な枢支軸により支柱枠に枢支されて先端側が上下に揺動可能な複数の支持部材と、この支持部材の基端側に連結され且つ該支持部材に対して前記枢支軸を中心に所定の揺動側に定トルクを与えるエアシリンダと、前記支柱枠の前面に形成した切欠き溝と、この切欠き溝の上端に設けられ、前記支持部材の位置を規制して所定の支持姿勢に維持する規制手段と、前記支柱枠の前面側上部を後方に傾斜して形成したガイド部を備え、前記枢支軸が前記支柱枠の前面に形成した切欠き溝より上方に位置し、支持部材上のパネル部材に対して上方から圧力がかかると支持部材の先端側が下方に揺動し、パネル部材が支持部材から外れると、重りによって支持部材が元の支持姿勢に復帰するようにされたことを特徴とするプレス装置。
【発明の詳細な説明】
【０００１】
【発明の属する技術分野】
本発明は、例えばフラットパネルをプレス成形するプレス装置の改良に関する。
【０００２】
【従来の技術】
従来、プレス装置によって例えばフラットパネルをプレス成形する際、固定型としての下型のプレス面の直近上方の一時待機位置でフラットパネルを水平姿勢に保持しておき、その上から可動型としての上型を降下させてフラットパネルを下型のプレス面に向けて押付け、プレス成形するような成形法が知られている。
【０００３】
この際、一時待機位置でフラットパネルを水平に保持する手段として、下型のプレス面より若干上方の位置で、下型側の周縁部附近から複数の支持部材を内方に向けて張出して設け、この支持部材の張出先端部でフラットパネルの下面周縁部を支持するとともに、支持部材の基端部を水平枢支軸で枢支して、先端側を上下に揺動可能にし、この支持部材を例えばコイルスプリングの付勢力によって所定の揺動方向（先端側を上方に揺動させる方向）に付勢し、ストッパによって所定の支持姿勢に維持するような技術が一般的である。
そしてこの技術では、支持部材上に載置されたフラットパネルが上方から上型の圧力を受けると、支持部材の先端部が下方に揺動してフラットパネルが姿勢を保って滑り落ちるのをガイドし、フラットパネルとの係合が外れると、コイルスプリング力によって元の支持姿勢に復帰するようにしている。
【０００４】
【発明が解決しようとする課題】
ところが、このようなパネル保持手段では、プレス回数が多くなるとコイルスプリングの付勢力が低下したり、コイルスプリングが破損したりして、フラットパネルを正確な水平姿勢にセットすることが出来なくなったり、フラットパネルが傾いて下型に押付けられたりして、成形品質が低下する虞れがあり、装置の稼働停止を招くという不具合があった。
【０００５】
そこで、長時間使用しても性能等が低下せず、フラットパネルの成形品質の信頼性低下を招かないパネル保持手段が望まれていた。
【０００６】
【課題を解決するための手段】
上記課題を解決するため本発明は、請求項１において、固定型としての下型と、可動型としての上型と、成形素材としてのパネル部材を下型のプレス面の最上部より若干高い待機位置に保持しておくパネル保持手段を備えたプレス装置において、パネル保持手段として、パネル部材の周縁部下面の所定部を支持し且つ水平な枢支軸により支柱枠に枢支されて先端側が上下に揺動可能な複数の支持部材と、この支持部材の基端側に取付けられ且つ支持部材に対して枢支軸を中心に所定の揺動側に定トルクを与える重りと、前記支柱枠の前面に形成した切欠き溝と、この切欠き溝の上端に設けられ、前記支持部材の位置を規制して所定の支持姿勢に維持する規制手段と、前記支柱枠の前面側上部を後方に傾斜して形成したガイド部を設け、前記枢支軸が前記支柱枠の前面に形成した切欠き溝より上方に位置し、支持部材上のパネル部材に対して上方から圧力がかかると支持部材の先端側が下方に揺動し、パネル部材が支持部材から外れると、重りによって支持部材が元の支持姿勢に復帰するようにした。
【０００７】
そして支持部材の端部に取付けた重りによって、支持部材の先端側を上方に向けて付勢し、規制手段で支持姿勢に規制するようにすれば、長時間使用してもコイルスプリングのように性能が低下することがない。
この際、支持部材の支持姿勢とは、例えばパネル部材を支持しやすいよう、先端部が略水平となる姿勢であり、また、支持部材を支持姿勢に規制する規制手段は、支持部材そのものにストッパ等を係合させて揺動を規制するようにしても良く、又は重りの落下位置を規制するよう構成しても良い。
【０００８】
また請求項２では、前記重りを、支持部材に対して水平な枢着軸により回動自在に枢着するようにし、請求項３では、重りを、縦長の長手形状にし、長手の一方側端部を枢着軸の枢着部にするようにした。
【０００９】
そして、支持部材に対して枢着軸で重りを枢着すれば、支持部材が揺動する際の重りの移動範囲を限定することが出来、周辺部材との干渉を避けスペースの有効利用が図られる。
そしてこの際、特に重りを縦長の長手形状にすれば、横方向への張出量を抑制出来、装置のコンパクト化が可能である。
【００１０】
またこの重りは、請求項４のように、支持部材の端部に固着するようにしても良い。
そしてこの場合は簡素な構成となり、安価に構成出来る。
【００１１】
また請求項５では、パネル保持手段として、パネル部材の周縁部下面の所定部を支持し且つ水平な枢支軸により支柱枠に枢支されて先端側が上下に揺動可能な複数の支持部材と、この支持部材の基端側に連結され且つ支持部材に対して枢支軸を中心に所定の揺動側に定トルクを与えるエアシリンダと、前記支柱枠の前面に形成した切欠き溝と、この切欠き溝の上端に設けられ、前記支持部材の位置を規制して所定の支持姿勢に維持する規制手段と、前記支柱枠の前面側上部を後方に傾斜して形成したガイド部を設けた。また、前記枢支軸が前記支柱枠の前面に形成した切欠き溝より上方に位置している。そして、エアシリンダに供給する加圧エアによって支持部材の先端側を上方に向けて付勢し、規制手段によって支持姿勢に規制する。
【００１２】
【発明の実施の形態】
本発明の実施の形態について添付した図面に基づき説明する。
ここで図１はプレス装置のプレス工程を示す説明図、図２は下型の平面図、図３乃至図５はパネル保持手段の各種構成例を示す拡大図、図６は案内部材の拡大図、図７は押え部材の拡大図である。
【００１３】
図１に示すように、本発明のプレス装置は、固定型としての下型１と、下型１に対して上下動自在な上型２からなり、下型１はパンチ部１ａと、パンチ部１ａの周囲でクッション１ｃに支えられるブランクホルダ１ｂを備え、また、上型２は、ダイ部２ａと、ダイ部２ａの周囲でクッション２ｃに支持されるブランクホルダ２ｂを備えている。
【００１４】
そして、下型１のブランクホルダ１ｂ上には、成形素材としてのフラットパネルＷをプレス成形する際、フラットパネルＷを待機位置で一時的に保持しておくパネル保持手段３が設けられ、この待機位置は、パンチ部１ｂの最上部より若干高い位置とされている。
そしてこのパネル保持手段３に保持されるフラットパネルＷは、上型２の降下に連れて下方に押圧され、最終的にパネル保持手段３から外れてプレス成形されるようにしている。
【００１５】
そして、このパネル保持手段３は、複数の支柱枠４、…に枢支される各支持部材５、…を備えており、本発明は特にこのパネル保持手段３に特徴を有している。
尚、図２に示すように、下型１のブランクホルダ１ｂ上には、パネル保持手段３の他に、フラットパネルＷを待機位置にセットする時に、周縁部をガイドする複数の案内部材６ａ、６ｂ、…と、待機位置にセットされたフラットパネルＷの周縁上面部を押え付けて保持する一対の押え部材７、７が設けられている。
【００１６】
前記パネル保持手段３について、図３に基づき詳述する。
ここで図３（Ａ）は側面視による内部透視図、（Ｂ）は正面視による内部透視図である。
前記支柱枠４の前面の一部には切欠き溝４ａが設けられ、支持部材５の中間部は枢支軸１０によって支柱枠４に枢支されている。そして支持部材５の先端部５ａは切欠き溝４ａから前方に突出してフラットパネルＷの支持部として構成されている。
そして、枢支軸１０の位置は、この支持部より上方の位置とされ、また、支柱枠４の前面側上部はガイド部４ｇとして後方に傾斜している。
【００１７】
また、支持部材５の後端部には、重り１２が枢着軸１１によって回動自在に枢着されており、この重り１２によって支持部材５の先端部５ａ側が上方に揺動する方向に付勢している。
そしてこの重り１２の形状は、縦長形状とされ、長手方向の上端側が枢着部とされるとともに、前面側の一部が切欠き部１２ａとして切り欠かれ、支持部材５の先端部５ａが下方に揺動した時、重り１２の前面と支持部材５が干渉しないようにされている。
【００１８】
また、前記支柱枠４の切欠き溝４ａの上端は、規制手段としての規制部ｋとして構成されている。すなわち、上方に向けて付勢される先端部５ａの一部をこの規制部ｋに当接させ、図３（Ａ）に示すように先端部５ａが略水平な支持姿勢になるようにしている。
尚、この規制部ｋは、重り１２の下方に設けたストッパ等により重り１２の下面位置等を規制するようにしても良い。
【００１９】
また重り１２の重量は、後述するように支持部材５の先端部５ａにフラットパネルＷを載置し、このフラットパネルＷに上型２の圧力を加えると、重り１２が上昇して支持部材５の先端部５ａが下方に揺動し、フラットパネルＷが支持部材５から外れると、支持部材５の姿勢を元の支持姿勢に復元させることが出来るような重さにしている。
【００２０】
図２に示す前記案内部材６ａ、６ｂは、待機位置にフラットパネルＷをセットする際、フラットパネルＷの周縁部をガイドするための部材であり、プレス成形した後、成形品を取り出す際に干渉しないよう逃げ機構を有する案内部材６ａと、逃げ機構を有さない案内部材６ｂからなる。
そして逃げ機構を有する案内部材６ａは、例えば図６に示すように、下端側が揺動ピン１３によって下型１のブランクホルダ１ｂに枢着されるとともに、この揺動ピン１３に近接する案内部材６ａの下端部には、シリンダユニット１４のロッド先端が連結ピン１５で枢着されており、このシリンダユニット１４の中間部がピン１６でブランクホルダ１ｂに枢支されている。
【００２１】
そしてこの案内部材６ａは、例えばフラットパネルＷをセットする時は、図６に示す状態で起立させておき、成形品を取り出す時は、シリンダユニット１４を縮退作動させて揺動ピン１３まわりに倒伏させて干渉を防止する。
尚、逃げ機構を有さない案内部材６ｂは、例えば基端部が直接ブランクホルダ１ｂに固着されている。
【００２２】
図２に示す前記押え部材７は、フラットパネルＷが待機位置にセットされた時、所定の上面周縁部を押え付けて位置決めする部材であり、図７に示すように、下端側の一部が揺動ピン１６によってブランクホルダ１ｂに枢着され、また基端側が連結ピン１８によってシリンダユニット１７のロッド先端に連結されている。そしてこのシリンダユニット１７の基端部はピン１９によってブランクホルダ１ｂ側に枢支されている。
【００２３】
そして、この押え部材７は、フラットパネルＷが待機位置にセットされた時、シリンダユニット１７が伸張作動し、フラットパネルＷの周縁部を押え部材７とブランクホルダ１ｂで挟み込んで固定するようにしている。
【００２４】
以上のようなプレス装置の作用等について図１に基づき説明する。
図１（Ａ）に示すように、上型２が上昇した状態でパネル保持手段３にてフラットパネルＷを待機位置にセットする。すなわち、支持部材５、…を支持姿勢にして先端部５ａ、…上にフラットパネルＷを載置し、押え部材７、７（図７）によって固定する。
【００２５】
次に、図１（Ｂ）に示すように、上型２が降下を始め、フラットパネルＷを押圧し始める。この時、支持部材５、…は先端側が下方に向けて揺動し、フラットパネルＷの姿勢を水平に保持したまま降下させる。この際、図３に示す重り１２は枢着軸１１によって姿勢を維持したま上昇する。そして最終的にフラットパネルＷが支持部材５、…を外れると、重り１２の作用で支持部材５、…は支持姿勢に復帰する。またこの際、フラットパネルＷは押え部材７、７からも外れる。
【００２６】
そして、図１（Ｃ）に示すように、各ブランクホルダ１ｂ、２ｂがフラットパネルＷの周縁部を挟持した状態でプレス成形が完了する。
そして成形品を取り出す際は、案内部材６ａ、…を倒し、干渉を防止しながら取り出す。
【００２７】
以上のようなプレス装置において、支持部材５、…は重り１２の作用で支持姿勢に復帰するため、使用回数が増えてもコイルスプリングのように性能が低下したり、破損したりするような不具合がない。
また、重り１２を縦長形状で且つ枢着軸１１によって枢着しているため、横方向への張出量を抑制出来、装置のコンパクト化が可能である。
【００２８】
次に、パネル保持手段３の他の構成例について図４に基づき説明する。
ここで図４（Ａ）は側面視による内部透視図、（Ｂ）は正面視による内部透視図である。
【００２９】
この構成例では、前記構成例の場合と同様、支柱枠４の前面の一部には切欠き溝４ａが設けられ、支持部材５の中間部は枢支軸１０によって支柱枠４に枢支されている。そして支持部材５の先端部５ａが切欠き溝４ａから前方に突出してフラットパネルＷの支持部として構成されている。
また、支持部材５の後端部には、重り２０、２０が固着されており、この重り２０、２０は後方に向けて延出するとともに、この重り２０、２０によって支持部材５の先端部５ａ側が上方に揺動する方向に付勢している。
【００３０】
そして、支柱枠４の切欠き溝４ａの上端は、前記構成例の場合と同様、規制部ｋとして構成されており、先端部５ａが上方に揺動するのを規制して支持部材５の姿勢を支持姿勢に維持させている。
そして、この重り２０、２０を使用した場合も、耐久性の向上が図られ、しかも重り２０、２０が固着されているため、より簡単に構成出来る。
【００３１】
次にパネル保持手段３の更に異なる別構成例について図５に基づき説明する。ここで図５（Ａ）は側面視による内部透視図、（Ｂ）は正面視による内部透視図である。
【００３２】
この構成例でも、支柱枠４の前面の一部に切欠き溝４ａを設ける一方、この支持枠４に対して回転自在な回転軸２１を設け、この回転軸２１に支持部材５の上端部を固着している。そしてこの回転軸２１には、連結部材２２の基端側を固着し、この連結部材２２の先端側にエアシリンダ２３のロッド先端を連結している。そしてこのエアシリンダ２３は常に伸張側に付勢されており、このため、支持部材５の先端部５ａ側は上方に揺動する方向に付勢されている。また、支柱枠４の切欠き溝４ａの上端は、規制部ｋとして構成されており、先端部５ａが上方に揺動するのを規制して支持部材５の姿勢を支持姿勢に維持させている。
【００３３】
そしてこの場合も、使用回数が増えても性能が低下したり破損したりするような不具合が生じにくく、耐久性の向上が図られる。
【００３４】
尚、以上のような各実施形態において、プレス装置は上下のブランクホルダ１ｂ、２ｂを有するタイプとし、パネル保持手段３をブランクホルダ１ｂに設ける場合を例にとって説明したが、勿論ブランクホルダ１ｂ、２ｂを有さないタイプのプレス装置にも適用出来ることはいうまでもない。
【００３５】
【発明の効果】
以上のように本発明は、請求項１乃至請求項４のように、パネルを待機位置に保持しておくパネル保持手段として重りと規制手段によって枢支軸により支柱枠に枢支された支持部材の姿勢を規制するようにしたため、長時間使用しても性能が低下したり破損したりするようなことがなく、しかも簡素な構成のため故障等を起こしにくい。
この際、請求項２のように、支持部材に対して重りを回動自在に枢着し、また請求項３のように縦長の長手形状にすれば、支持部材が揺動する際の重りの移動範囲を限定することが出来、しかも横方向への張出量を抑制出来て、装置の小型化が可能である。また請求項４のように、支持部材に対して重りを固着すれば、構成が一層簡素となり、安価に構成出来る。
また請求項５のように、エアシリンダと規制手段によって枢支軸により支柱枠に枢支された支持部材の姿勢を規制する場合も、使用回数が増えても性能が低下しにくく、耐久性の向上が図られる。
【図面の簡単な説明】
【図１】プレス装置のプレス工程を示す説明図
【図２】下型の平面図
【図３】パネル保持手段の第１構成例を示す拡大図で、（Ａ）は側面視図、（Ｂ）は正面視図
【図４】パネル保持手段の第２構成例を示す拡大図で、（Ａ）は側面視図、（Ｂ）は正面視図
【図５】パネル保持手段の第３構成例を示す拡大図で、（Ａ）は側面視図、（Ｂ）は正面視図
【図６】案内部材の拡大図
【図７】押え部材の拡大図
【符号の説明】
１…下型、１ｂ…ブランクホルダ、２…上型、２ｂ…ブランクホルダ、３…パネル保持手段、５…支持部材、１２…重り、２０…重り、２３…エアシリンダ、ｋ…規制部、Ｗ…フラットパネル。
【図１】
0003812976.tif 000002
【図２】
0003812976.tif 000003
【図３】
0003812976.tif 000004
【図４】
0003812976.tif 000005
【図５】
0003812976.tif 000006
【図６】
0003812976.tif 000007
【図７】
0003812976.tif 000008